(57)【要約】【課題】位置登録エリア単位でローミングが禁止される場合も含めて、基地局からの報知情報の受信処理に費やす電力を軽減し、セル検出の遅延を防止する。【解決手段】位置登録制御手段１０１ａが、ローミング禁止セルで用いるPSCを禁止セルリスト記憶エリア４０１ａに記憶しておき、その後、受信状況が悪化するなどしてセルのリセレクションの必要が生じた場合には、リセレクション制御手段１０１ｂが、周辺セルのPSCを検出して候補としてリスト化して、候補セルリスト記憶エリア４０１ｃに記録し、このうち上記ローミング禁止セル以外のPSCを用いるセルから報知情報を受信して、リセレクションを行うようにしたものである。【選択図】      図１
2008288634.tif 000002
【特許請求の範囲】
【請求項１】
移動通信網に収容されセルを形成する基地局と無線通信する移動無線端末装置において、
ローミングを拒否したセルの識別情報を記憶する記憶手段と、
前記基地局からの受信品質が劣化した場合に、複数の識別情報を用いた受信を行ってセルを検出する検出手段と、
この検出手段が検出したセルのうち、前記記憶手段に識別情報が記憶されるセル以外のセルから報知情報を受信する受信手段とを具備することを特徴とする移動無線端末装置。
【請求項２】
前記受信手段は、前記検出手段が検出したセルのうち、前記記憶手段に識別情報が記憶されるセルについては、間欠的に報知情報を受信することを特徴とする請求項１に記載の移動無線端末装置。
【請求項３】
前記受信手段は、検出手段が検出したセルのうち、前記記憶手段に識別情報が記憶されるセルについては、一定時間が経過したら報知情報を受信することを特徴とする請求項１に記載の移動無線端末装置。
【請求項４】
さらに、位置を検出する位置検出手段を備え、
前記記憶手段は、セルからローミングを拒否された場合に、前記位置検出手段が検出した位置の情報を、ローミングを拒否したセルの識別情報と対応付けて記憶し、
前記受信手段は、前記検出手段が検出したセルのうち、前記記憶手段に識別情報が記憶されるセルについては、その識別情報に対応付けられた位置の情報と、位置検出手段が検出する現在の位置の情報とを比較し、これらの間に予め設定した距離以上の差があれば、前記ローミングを拒否したセルから報知情報を受信することを特徴とする請求項１に記載の移動無線端末装置。
【請求項５】
前記記憶手段は、ローミングを拒否したセルの識別情報と、このセルで用いた周波数とを対応付けて記憶し、
前記受信手段は、前記検出手段が検出したセルのうち、前記記憶手段に識別情報が記憶され、かつこの識別情報に対応付けられた周波数が前記検出手段が検出の際に用いた周波数の場合には、前記セルから報知情報を受信しないことを特徴とする請求項１乃至請求項４のいずれかに記載の移動無線端末装置。
【請求項６】
さらに、前記受信手段が報知情報を受信し、ローミングを拒否されなかった場合には、そのセルの識別情報を前記記憶手段から削除する記憶制御手段を備えることを請求項１乃至請求項５のいずれかに記載の移動無線端末装置。
【請求項７】
移動通信網に収容されセルを形成する基地局と無線通信する移動無線端末装置において、
ローミングを拒否したセルの識別情報を記憶する記憶手段と、
前記基地局からの受信品質が劣化した場合に、複数の識別情報を用いた受信を行ってセルを検出する検出手段と、
この検出手段が検出したセルのうち、前記記憶手段に識別情報が記憶されるセルについては、受信頻度を下げて報知情報を受信する受信手段とを具備することを特徴とする移動無線端末装置。
【請求項８】
前記受信手段は、前記検出手段が検出したセルのうち、前記記憶手段に識別情報が記憶されるセルについては、間欠的に報知情報を受信することで受信頻度を下げることを特徴とする請求項７に記載の移動無線端末装置。
【請求項９】
前記受信手段は、検出手段が検出したセルのうち、前記記憶手段に識別情報が記憶されるセルについては、一定時間が経過したら報知情報を受信することで受信頻度を下げることを特徴とする請求項７に記載の移動無線端末装置。
【請求項１０】
さらに、位置を検出する位置検出手段を備え、
前記記憶手段は、セルからローミングを拒否された場合に、前記位置検出手段が検出した位置の情報を、ローミングを拒否したセルの識別情報と対応付けて記憶し、
前記受信手段は、前記検出手段が検出したセルのうち、前記記憶手段に識別情報が記憶されるセルについては、その識別情報に対応付けられた位置の情報と、位置検出手段が検出する現在の位置の情報とを比較し、これらの間に予め設定した距離以上の差がない場合に、前記ローミングを拒否したセルから報知情報の受信頻度を下げることを特徴とする請求項７に記載の移動無線端末装置。
【請求項１１】
前記記憶手段は、ローミングを拒否したセルの識別情報と、このセルで用いた周波数とを対応付けて記憶し、
前記受信手段は、前記検出手段が検出したセルのうち、前記記憶手段に識別情報が記憶され、かつこの識別情報に対応付けられた周波数が前記検出手段が検出の際に用いた周波数の場合に、受信頻度を下げて前記セルから報知情報の受信を行うことを特徴とする請求項７乃至請求項１０のいずれかに記載の移動無線端末装置。
【請求項１２】
さらに、前記受信手段が受信頻度を下げて報知情報を受信し、ローミングを拒否されなかった場合には、そのセルの識別情報を前記記憶手段から削除する記憶制御手段を備えることを請求項７乃至請求項１１のいずれかに記載の移動無線端末装置。
【請求項１３】
移動通信網に収容されセルを形成する基地局と無線通信する移動無線端末装置において、
ローミングを拒否したセルの識別情報を記憶する記憶手段と、
前記基地局からの受信品質が劣化した場合に、複数の識別情報を用いた受信を行ってセルを検出する検出手段と、
この検出手段が検出したセルのうち、前記記憶手段に識別情報が記憶されるセルについては、報知情報の受信を制限して受信する受信手段とを具備することを特徴とする移動無線端末装置。
【請求項１４】
前記受信手段は、前記検出手段が検出したセルのうち、前記記憶手段に識別情報が記憶されるセルについては、間欠的に報知情報を受信することで受信を制限することを特徴とする請求項１３に記載の移動無線端末装置。
【請求項１５】
前記受信手段は、検出手段が検出したセルのうち、前記記憶手段に識別情報が記憶されるセルについては、一定時間が経過したら報知情報を受信することで受信を制限することを特徴とする請求項１３に記載の移動無線端末装置。
【請求項１６】
さらに、位置を検出する位置検出手段を備え、
前記記憶手段は、セルからローミングを拒否された場合に、前記位置検出手段が検出した位置の情報を、ローミングを拒否したセルの識別情報と対応付けて記憶し、
前記受信手段は、前記検出手段が検出したセルのうち、前記記憶手段に識別情報が記憶されるセルについては、その識別情報に対応付けられた位置の情報と、位置検出手段が検出する現在の位置の情報とを比較し、これらの間に予め設定した距離以上の差がない場合に、前記ローミングを拒否したセルから報知情報の受信を制限することを特徴とする請求項１３に記載の移動無線端末装置。
【請求項１７】
前記記憶手段は、ローミングを拒否したセルの識別情報と、このセルで用いた周波数とを対応付けて記憶し、
前記受信手段は、前記検出手段が検出したセルのうち、前記記憶手段に識別情報が記憶され、かつこの識別情報に対応付けられた周波数が前記検出手段が検出の際に用いた周波数の場合に、前記セルから報知情報の受信を制限することを特徴とする請求項１３乃至請求項１６のいずれかに記載の移動無線端末装置。
【請求項１８】
さらに、前記受信手段が制限して報知情報を受信し、ローミングを拒否されなかった場合には、そのセルの識別情報を前記記憶手段から削除する記憶制御手段を備えることを請求項１３乃至請求項１７のいずれかに記載の移動無線端末装置。
【請求項１９】
前記記憶手段は、位置登録を行う際に、ローミングを拒否したセルの識別情報を記憶することを特徴とする請求項１、請求項７または請求項１３に記載の移動無線端末装置。
【請求項２０】
前記記憶手段は、ローミングを拒否したセルの識別情報として、前記セルとの通信に用いる拡散符号を記憶することを特徴とする請求項１、請求項７または請求項１３に記載の移動無線端末装置。
【発明の詳細な説明】
【技術分野】
【０００１】
この発明は、例えば国内あるいは国外において、ローミングが可能な移動無線端末装置に関する。
【背景技術】
【０００２】
セルラ方式の移動無線端末装置（例えば、非特許文献１参照）では、常に良好な受信品質を確保するため、待ち受け時に周辺セルをサーチする。サーチの結果、良好な受信品質のセルが検出され、所定の判断基準にしたがって待ち受けるセルを変更する必要があると判断すると、移動無線端末装置は上記セルから報知情報を受信し、この報知情報に含まれる網番号、位置登録エリア番号などの情報から、位置登録の必要性があるかどうかを判断する。
【０００３】
位置登録の必要性があると判断すると、移動無線端末装置は位置登録処理を実行する。このとき、網に対して送信される位置登録要求に対して、網からローミング禁止等の位置登録拒否の旨を示す理由値とともに位置登録が拒絶される場合がある。この場合、移動無線端末装置では当該通知により、位置登録要求を行った位置登録エリアがローミング禁止のエリアであることを認識し、当該位置登録エリア番号をローミング禁止エリアとして記憶する。
【０００４】
移動無線端末装置は、以降、周辺セルの報知情報を受信した際に、報知情報で通知される位置登録エリア番号と、前記端末内部に記憶したローミング禁止エリアの位置登録エリア番号とを照合し、一致した場合には当該位置登録エリアはローミング禁止であることを認識し、位置登録を実施しないように動作する。
【０００５】
以上のような手順により、セルラ方式の移動無線端末装置では、移動等に伴うセルの再選択がなされるが、周辺セルのサーチの結果、ローミング禁止セルの受信品質が高い状況が継続すると、当該ローミング禁止セルから報知情報を受信する処理が繰り返されてしまい、消費電流が増大するという問題がある。
【０００６】
サーチで検出されたセルがローミングを禁止しているかどうかを判断するためには、前述のように、報知情報を受信し、報知情報内の網番号と位置登録エリア番号が移動無線端末装置内に保持されているローミング禁止セルのものと一致するかどうかを判定する必要がある。このため、報知情報を受信する処理が必要であり、上記のような問題の原因になっている。
【０００７】
これに対して従来は、禁止セルの周波数を禁止周波数とし、サーチ対象から除外することにより禁止セルの報知情報の受信処理を実施しない方法が提示されている（例えば、特許文献１参照）。
【０００８】
しかしながら、この方法では、特定の周波数での受信を禁止するため、網単位でローミングが禁止される場合には問題ないが、周波数が同じ網でも、位置登録エリア単位でローミングが禁止される場合には、ローミング禁止でない位置登録エリアも禁止扱いにしてしまうため、ローミングが行えなくなるという問題があった。
【特許文献１】特開２００６−３１１３２９
【非特許文献１】３ＧＰＰ規格ＴＳ２４．０１８、ＴＳ２５．３３１、ＴＳ２５．３０４、ＴＳ２４．００８
【発明の開示】
【発明が解決しようとする課題】
【０００９】
従来の移動無線端末装置では、位置登録エリア単位でローミングが禁止される場合には、ローミング禁止でない位置登録エリアも禁止扱いにしてしまうため、ローミングが行えなくなるという問題があった。
【００１０】
この発明は、上記の問題を解決すべくなされたもので、位置登録エリア単位でローミングが禁止される場合も含めて、基地局からの報知情報の受信処理に費やす電力を軽減し、不必要な報知情報受信処理によるセル検出の遅延を防止できる移動無線端末装置を提供することを目的とする。
【課題を解決するための手段】
【００１１】
上記の目的を達成するために、この発明は、移動通信網に収容されセルを形成する基地局と無線通信する移動無線端末装置において、ローミングを拒否したセルの識別情報を記憶する記憶手段と、基地局からの受信品質が劣化した場合に、複数の識別情報を用いた受信を行ってセルを検出する検出手段と、この検出手段が検出したセルのうち、記憶手段に識別情報が記憶されるセル以外のセルから報知情報を受信する受信手段とを具備して構成するようにした。
【発明の効果】
【００１２】
以上述べたように、この発明では、ローミングを拒否したセルの識別情報を記憶しておき、基地局からの受信品質が劣化した場合にセルを検出し、そのうち、識別情報が記憶されるセル以外のセルから報知情報を受信するようにしている。
【００１３】
したがって、この発明によれば、ローミングを拒否されたセルから識別情報の受信が行われないので、セル単位でローミングが禁止される場合も含めて、基地局からの報知情報の受信処理に費やす電力を軽減し、不必要な報知情報受信処理によるセル検出の遅延を防止可能な移動無線端末装置を提供できる。
【発明を実施するための最良の形態】
【００１４】
以下、図面を参照して、この発明の一実施形態について説明する。  
（第１の実施形態）
図１は、この発明の第１の実施形態に係わる移動無線端末装置の構成を示すものである。この移動無線端末装置は、アンテナ１０と、送受信部２００と、信号処理部３００と、記憶部４０１と、制御部１０１とを備えている。ここでは、移動無線端末装置の例として、W-CDMA(Wideband Code Division Multiple Access)方式の移動無線通信システムで用いられ、音声通信やデータ通信を行うものを例に挙げる。
【００１５】
送受信部２００は、アンテナ１０を通じて、移動通信網に収容される基地局ＢＳと、W-CDMA方式で無線通信するものである。具体的には、送受信部２００は、信号処理部３００にて生成された変調信号に基づいて、制御部１０１からキャリア周波数とPSCが指示され、上記PSCを用いて上記キャリア周波数の無線信号を生成する。
【００１６】
また送受信部２００は、制御部１０１からキャリア周波数とPSCが指示され、上記PSCを用いて上記キャリア周波数の無線信号を受信する。この受信結果は、信号処理部３００および制御部１０１に出力される。また送受信部２００は、受信した信号の品質を検出する機能を備え、検出した受信品質を制御部１０１に通知する。
【００１７】
信号処理部３００は、送話音声信号を符号化する。また、この符号化によって得た音声データやその他のデータに基づいて上記変調信号を生成し、これを上記送受信部２００に出力する。また信号処理部３００は、送受信部２００が受信した信号を復調し、この復調結果を復号して音声データなどを得たり、基地局ＢＳから送信される信号の検出を行う。
【００１８】
記憶部４０１は、当該移動無線端末装置の制御プログラムや制御データ、当該移動無線端末装置やユーザに固有に割り当てられた識別情報、多数のPSC(Primary Scrambling Code)を記憶するものであって、このほかに、名前と電話番号を対応づけた電話帳データや、データ通信により取得したデータやダウンロードしたデータを記憶する。また記憶部４０１は、禁止セルリスト記憶エリア４０１ａ、禁止カウント値記憶エリア４０１ｂ、候補セルリスト記憶エリア４０１ｃなどの記憶領域を備える。
【００１９】
禁止セルリスト記憶エリア４０１ａは、図２に示すように、ローミングが禁止されたセルでの通信に用いるPSCの識別情報PNを記憶し、この例では、５個分のPSCの識別情報PN１〜PN５を記憶するものとし、新しい情報が記録される場合には、古いものから順に消去されるものとする。
【００２０】
禁止カウント値記憶エリア４０１ｂは、図２に示すように、後述するリセレクション処理でローミング禁止セルの報知情報受信可否のチェック回数をPSC毎にカウントした値を記憶するエリアである。候補セルリスト記憶エリア４０１ｃは、候補セルのPSCの識別情報を受信品質の高い順に並べたリストを記憶するエリアである。
【００２１】
制御部１０１は、記憶部４０１が記憶する制御プログラムや制御データにしたがって、当該移動無線端末装置の各部を統括して制御するものであり、滞在するセルの管理や基地局ＢＳに対して位置登録要求を行ったり、当該移動無線端末装置の無線資源の管理や、無線コネクションの設定・解放を制御するものである。
【００２２】
より具体的には、必要に応じて基地局ＢＳに対して位置登録を行う位置登録制御手段１０１ａや、受信状態が悪化した場合に、セルのリセレクションを行うリセレクション制御手段１０１ｂなどを備える。
【００２３】
なお、図１には図示しないが、移動無線端末装置は、受話音声信号を拡声出力するスピーカや、送話音声信号を入力するマイクロホン、音声データを上記受話音声信号に変換する手段や、送話音声信号を音声データに変換する手段、受信データに基づく画像を表示する表示手段、ユーザに要求を受け付ける操作部などを備える。
【００２４】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、位置登録やリセレクションに関わる動作について説明する。
【００２５】
図３は、位置登録処理を説明するフローチャートであって、この処理は制御部１０１の位置登録制御手段１０１ａによってなされる。このフローチャートに示す制御を実現するための制御プログラムは、記憶部４０１に記録される。この処理は、位置登録を行うセルが特定できると実行される。
【００２６】
まず、ステップ３ａにおいて位置登録制御手段１０１ａは、制御部１０１によって特定された位置登録の対象となるセル（例えば、セルサーチの結果、送受信部２００が検出した受信品質が良好なセル）に対して、位置登録要求を送信するように送受信部２００を制御し、ステップ３ｂに移行する。
【００２７】
これに対して送受信部２００は、上記セル（基地局ＢＳ）に対して位置登録要求を送信する。より具体的には、位置登録制御手段１０１ａは、位置登録の対象となるセルで用いられるPSCを送受信部２００に通知し、送受信部２００は、通知されたPSCを用いて位置登録要求を送信することで、上記セルに宛てて位置登録要求を行う。
【００２８】
ステップ３ｂにおいて位置登録制御手段１０１ａは、上記セルから上記位置登録要求に対する応答信号を受信するように送受信部２００を制御する。より具体的には、位置登録制御手段１０１ａは、上記セルで用いられるPSCの識別情報を送受信部２００に通知し、送受信部２００は、通知された識別情報に対応するPSCを用いて応答信号の受信を行う。
【００２９】
そして、位置登録制御手段１０１ａは、信号処理部３００が検出した上記セルからの応答信号を参照し、上記セルがステップ３ａで行った位置登録要求を受理するか否かを判定する。ここで、応答信号が位置登録要求を受理する（許可する）ことを示す場合には、ステップ３ｃに移行し、一方、受理しない（拒否する）ことを示す場合には、ステップ３ｄに移行する。
【００３０】
ステップ３ｃにおいて位置登録制御手段１０１ａは、送受信部２００および信号処理部３００を制御して、位置登録処理を実施し、当該処理を終了する。より具体的には、位置登録処理では、上記セルに属する基地局BSと通信し、自端末の識別情報などを送信し、網内の位置管理データベースへの登録を行う。
【００３１】
ステップ３ｄにおいて位置登録制御手段１０１ａは、上記セルから受信した応答信号に含まれる理由値を参照し、位置登録要求が受理されなかった理由を検出する。そして、位置登録制御手段１０１ａは、理由値がローミング禁止を示す場合には、ステップ３ｅに移行し、一方、理由値がローミング禁止以外を示す場合には、ステップ３ｆに移行する。
【００３２】
ステップ３ｅにおいて位置登録制御手段１０１ａは、ローミングが禁止された上記セルに対応するPSCの識別情報PNｎを禁止セルリスト記憶エリア４０１ａに記録し、ステップ３ｆに移行する。  
ステップ３ｆにおいて位置登録制御手段１０１ａは、位置登録拒否時処理を実施し、当該処理を終了する。より具体的には、位置登録拒否時処理では、理由値に応じて、当該エリアの識別情報を消去、禁止網リストや禁止エリアリストへの当該網や当該エリアの識別情報の記憶などを行い、位置登録処理を終了する。これらの処理は上記非特許文献１のＴＳ２４．００８に規定されている。
【００３３】
図４は、リセレクション処理を説明するフローチャートであって、この処理は制御部１０１のリセレクション制御手段１０１ｂによってなされる。このフローチャートに示す制御を実現するための制御プログラムは、記憶部４０１に記録される。この処理は、現在待ち受け中のセルの受信品質が劣化するなどして、セルのリセレクションを行う必要があると判断された場合に実施されるものであり、例えば待ち受け間欠受信毎に現在待ち受け中のセルの受信品質判定毎にリセレクションが必要と判断された場合に実施される。
【００３４】
まず、ステップ４ａにおいてリセレクション制御手段１０１ｂは、複数のPSCの識別情報を送受信部２００に通知して、送受信部２００に周辺セルサーチを行わせ、ステップ４ｂに移行する。これに対して送受信部２００は、リセレクション制御手段１０１ｂから通知される識別情報に対応するPSCを順次用いて、セルから送信されるパイロット信号を受信して、その受信品質を検出し、これをPSCの識別情報とともに制御部１０１に通知する。
【００３５】
ステップ４ｂにおいてリセレクション制御手段１０１ｂは、ステップ４ａで送受信部２００から通知される受信品質に基づいて、所定以上の受信品質が得られるPSCを検出し、この検出したPSCの識別情報を受信品質の高い順に並べた候補リストを作成して候補セルリスト記憶エリア４０１ｃに記録し、ステップ４ｃに移行する。すなわち、ステップ４ｂにおいてリセレクション制御手段１０１ｂは、リセレクションの候補として有望なPSCを可能性の高い順に並べた候補リストを作成する。
【００３６】
ステップ４ｃにおいてリセレクション制御手段１０１ｂは、ステップ４ｂで作成した候補リストに、少なくとも１つのPSCの識別情報が含まれるかを判定する。ここで、上記候補リストに少なくとも１つのPSCの識別情報が含まれる場合には、ステップ４ｄに移行し、一方、候補リストに１つもPSCの識別情報が含まれない場合には、処理を終了し、次回の待ち受け間欠受信時に再びセルのリセレクションが必要と判断された場合には本フローを最初から実行する。
【００３７】
ステップ４ｄにおいてリセレクション制御手段１０１ｂは、候補セルリスト記憶エリア４０１ｃが記憶する候補リストから、１つのPSCを選択し、ステップ４ｅに移行する。なお、ステップ４ｃからステップ４ｄに移行した場合には、上記候補リストから最上位のPSCを選択する。またステップ４ｇや４ｌからステップ４ｄに移行した場合には、前回のステップ４ｄで選択したPSCの次順位のPSCを選択する。
【００３８】
すなわち、例えば、前回のステップ４ｄで最上位のPSCを選択した場合には、今回のステップ４ｄでは第２位のPSCを選択し、前回のステップ４ｄで第３位のPSCを選択した場合には、今回のステップ４ｄでは第４位のPSCを選択する。また前回のステップ４ｄで最下位（第５位）のPSCを選択した場合には、今回のステップ４ｄでは最上位（第１位）のPSCを選択する。
【００３９】
ステップ４ｅにおいてリセレクション制御手段１０１ｂは、ステップ４ｄで選択したPSCの識別情報PNXが禁止セルリスト記憶エリア４０１ａに記憶されているか否かを判断する。ここで、識別情報PNXが禁止セルリスト記憶エリア４０１ａに記憶されるPN１〜PN５のいずれかに一致する場合、すなわち禁止セルのPSCである場合には、ステップ４ｆに移行し、一方、一致しない場合、すなわち禁止セルのPSCでない場合には、ステップ４ｉに移行する。
【００４０】
ステップ４ｆにおいてリセレクション制御手段１０１ｂは、ステップ４ｄで選択したPSCの識別情報PNXに対応する禁止カウント値記憶エリア４０１ｂのカウント値を１つインクリメントし、ステップ４ｇに移行する。
【００４１】
ステップ４ｇにおいてリセレクション制御手段１０１ｂは、ステップ４ｄで選択したPSCの識別情報PNXに対応する禁止カウント値記憶エリア４０１ｂのカウント値が、予め設定した閾値「５」以上であるか否かを判定する。ここで、閾値以上の場合、すなわちステップ４ｄで選択したPSCの識別情報PNXに対応するステップ４ｄ〜４ｇのループ処理を閾値以上繰り返した場合には、ステップ４ｈに移行し、一方、閾値未満の場合、すなわち上記ループ処理を閾値以上繰り返していない場合には、ステップ４ｄに移行する。
【００４２】
ステップ４ｈにおいてリセレクション制御手段１０１ｂは、ステップ４ｄで選択したPSCの識別情報PNXに対応する禁止カウント値記憶エリア４０１ｂのカウント値を０にリセットし、ステップ４ｉに移行する。
【００４３】
ステップ４ｉにおいてリセレクション制御手段１０１ｂは、ステップ４ｄで選択したPSCの識別情報PNXを送受信部２００に通知して、上記PSCを用いるセルから送信される報知情報を受信するように制御し、ステップ４ｊに移行する。これに対して送受信部２００は、リセレクション制御手段１０１ｂから通知される識別情報に対応するPSCを用いた受信を行い、これにより信号処理部３００が受信信号から報知情報を検出する。
【００４４】
ステップ４ｊにおいてリセレクション制御手段１０１ｂは、リセレクション処理を実施し、ステップ４ｋに移行する。なお、このリセレクション処理には、ステップ４ｉで受信した報知情報から位置登録エリア番号を読み出し、その位置登録エリア番号が現在位置登録済みの位置登録エリア番号と異なる場合には、送受信部２００および信号処理部３００を制御して、所定のプロトコルにしたがって、ステップ４ｉで受信した報知情報の送信元の基地局ＢＳに対して位置登録要求を送信する処理を含んでいる。
【００４５】
ステップ４ｋにおいてリセレクション制御手段１０１ｂは、ステップ４ｊで行った位置登録要求が受理されたか否かを判定する。ここで、位置登録要求が受理されなかった場合には、ステップ４ｌに移行する。一方、受理された場合および位置登録を実施する必要がなかった場合には、送受信部２００および信号処理部３００を制御して、所定のプロトコルにしたがって、上記基地局ＢＳと通信し、着信待ち受けを開始して、当該処理を終了する。
【００４６】
ステップ４ｌにおいてリセレクション制御手段１０１ｂは、ステップ４ｂで作成した候補リストに含まれる全てのPSCについて、少なくとも１回はステップ４ｉにより報知情報を受信したか否かを判定する。ここで、全てのPSCについて少なくとも１回は報知情報を受信した場合には、処理を終了し、次回の待ち受け間欠受信時に再びセルのリセレクションが必要と判断された場合には本フローを最初から実行する。一方、全てのPSCについて報知情報を受信していない場合には、ステップ４ｄに移行する。
【００４７】
以上のように、上記構成の移動無線端末装置では、予めローミング禁止セルで用いるPSCを記憶しておき、その後、受信状況が悪化するなどしてセルのリセレクションの必要が生じた場合には、周辺セルのPSCを検出して候補としてリスト化し、このうち上記ローミング禁止セル以外のPSCを用いるセルから報知情報を受信して、リセレクションを行うようにしている。
【００４８】
したがって、上記構成の移動無線端末装置によれば、かつてローミング禁止セルと判定されたセルのPSC以外のPSCを積極的に用いて報知情報の受信が行われるため、ローミング禁止セルが周辺セル（リセレクションの候補）として検出された場合でも、ローミング禁止セルからの報知情報受信が抑止される。
【００４９】
このため、セル単位でローミングが禁止される場合でも、結果的にリセレクションを行えないローミング禁止セルからの報知情報受信が抑制（制限）されて、この処理に費やす不要な電力が軽減できる。また不要な報知情報受信によるセル検出の遅延を防止できる。
【００５０】
ところで、一般に、PSCは、同じ網内で繰り返して使用されるため、PSCによってセルを一意に識別することはできないが、通常、PSCのセルへの割り当ては、比較的狭い地域においては同じPSCを複数のセルで使用することはないようになされる。しかし、PSCは有限であるため、網全体では同じPSCが繰り返し使用され得る。すなわち、PSCは、ローミング禁止セルで用いられていたとしても、他の離れたローミング可能なセルで用いられることもあるため、一様にローミング禁止セルのPSCとして扱うと、移動する移動無線端末装置において不具合が生じる虞がある。
【００５１】
しかし、上記構成の移動無線端末装置では、上記周辺セルの候補リストに含まれるPSCがローミング禁止セルのPSCの場合には、カウンタを所定回数に達するまでインクリメントしてから、そのPSCを用いるセルから報知情報を受信するようにしている。  
このため、移動無線端末装置が、ローミング禁止セルのPSCと同じPSCを用いるローミング可能なセルに移動した場合でも、カウンタが所定値までカウントするまで時間が経過すれば、報知情報を受信できるので上記の不具合を防止できる。
【００５２】
そしてまた、カウンタを所定回数に達するまでインクリメントしてから、そのPSCを用いるセルから報知情報を受信するようにしているが、やはりローミング禁止セルのPSCであった場合には、カウント値を０にリセットして、さらにカウンタを所定回数に達するまでインクリメントしてから、そのPSCを用いるセルから報知情報を受信するようにしている。
【００５３】
このため、一度カウンタのカウント値が所定回数に達したからといって、その後、リセレクションの候補として有望な受信品質であったとしても、連続的に報知情報を受信することはなく、また、かといって、やはりローミング禁止セルのPSCであったと判断されても、カウンタのカウント値が所定回数に達すれば、再びそのPSCを用いるセルから報知情報を受信する。すなわち、ローミング禁止セルのPSCであっても、そのPSCを用いるセルから間欠的に報知情報を受信するので、後の移動による上述の不具合を防止できる。
【００５４】
なお、１個のローミング禁止セルが常に最も高い品質で検出される条件下において消費電流を測定したところ、上記第１の実施形態で説明したように、５回検出毎に１回だけ報知情報を受信する方法を実施することにより、本発明を用いない場合に比べて、ある条件下において、４０％程度消費電力を削減する効果があることが確認できた。
【００５５】
（第２の実施形態）
次に、第２の実施形態に係わる移動無線端末装置について説明する。  
図５は、この発明の第２の実施形態に係わる移動無線端末装置の構成を示すものである。この移動無線端末装置は、アンテナ１０と、送受信部２００と、信号処理部３００と、記憶部４０２と、制御部１０２とを備えている。ここでは、移動無線端末装置の例として、W-CDMA(Wideband Code Division Multiple Access)方式の移動無線通信システムで用いられ、音声通信やデータ通信を行うものを例に挙げる。
【００５６】
送受信部２００は、アンテナ１０を通じて、移動通信網に収容される基地局ＢＳと、W-CDMA方式で無線通信するものである。具体的には、送受信部２００は、信号処理部３００にて生成された変調信号に基づいて、制御部１０２からキャリア周波数とPSCが指示され、上記PSCを用いて上記キャリア周波数の無線信号を生成する。
【００５７】
また送受信部２００は、制御部１０２からキャリア周波数とPSCが指示され、上記PSCを用いて上記キャリア周波数の無線信号を受信する。この受信結果は、信号処理部３００および制御部１０２に出力される。また送受信部２００は、受信した信号の品質を検出する機能を備え、検出した受信品質を制御部１０２に通知する。
【００５８】
信号処理部３００は、送話音声信号を符号化する。また、この符号化によって得た音声データやその他のデータに基づいて上記変調信号を生成し、これを上記送受信部２００に出力する。また信号処理部３００は、送受信部２００が受信した信号を復調し、この復調結果を復号して音声データなどを得たり、基地局ＢＳから送信される信号の検出を行う。
【００５９】
記憶部４０２は、当該移動無線端末装置の制御プログラムや制御データ、当該移動無線端末装置やユーザに固有に割り当てられた識別情報、多数のPSC(Primary Scrambling Code)を記憶するものであって、このほかに、名前と電話番号を対応づけた電話帳データや、データ通信により取得したデータやダウンロードしたデータを記憶する。また記憶部４０２は、禁止セルリスト記憶エリア４０２ａ、禁止時間記憶エリア４０２ｂ、候補セルリスト記憶エリア４０２ｃなどの記憶領域を備える。
【００６０】
禁止セルリスト記憶エリア４０２ａは、図６に示すように、ローミングが禁止されたセルでの通信に用いるPSCの識別情報PNを記憶し、この例では、５個分のPSCの識別情報PN１〜PN５を記憶するものとし、新しい情報が記録される場合には、古いものから順に消去されるものとする。
【００６１】
禁止時間記憶エリア４０２ｂは、図６に示すように、ローミングが禁止されたセルでの通信に用いるPSC毎にリセレクション禁止の終了時間Tmを記憶するエリアである。候補セルリスト記憶エリア４０２ｃは、候補セルのPSCの識別情報を受信品質の高い順に並べたリストを記憶するエリアである。
【００６２】
制御部１０２は、記憶部４０２が記憶する制御プログラムや制御データにしたがって、当該移動無線端末装置の各部を統括して制御するものであり、滞在するセルの管理や基地局ＢＳに対して位置登録要求を行ったり、当該移動無線端末装置の無線資源の管理や、無線コネクションの設定・解放を制御するものである。また制御部１０２は、時刻を計時する機能を備える。
【００６３】
より具体的には、必要に応じて基地局ＢＳに対して位置登録を行う位置登録制御手段１０２ａや、受信状態が悪化した場合に、セルのリセレクションを行うリセレクション制御手段１０２ｂなどを備える。
【００６４】
なお、図５には図示しないが、移動無線端末装置は、受話音声信号を拡声出力するスピーカや、送話音声信号を入力するマイクロホン、音声データを上記受話音声信号に変換する手段や、送話音声信号を音声データに変換する手段、受信データに基づく画像を表示する表示手段、ユーザに要求を受け付ける操作部などを備える。
【００６５】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、位置登録やリセレクションに関わる動作について説明する。
【００６６】
図７は、位置登録処理を説明するフローチャートであって、この処理は制御部１０２の位置登録制御手段１０２ａによってなされる。このフローチャートに示す制御を実現するための制御プログラムは、記憶部４０２に記録される。この処理は、位置登録を行うセルが特定できると実行される。
【００６７】
まず、ステップ７ａにおいて位置登録制御手段１０２ａは、制御部１０２によって特定された位置登録の対象となるセル（例えば、セルサーチの結果、送受信部２００が検出した受信品質が良好なセル）に対して、位置登録要求を送信するように送受信部２００を制御し、ステップ７ｂに移行する。
【００６８】
これに対して送受信部２００は、上記セル（基地局ＢＳ）に対して位置登録要求を送信する。より具体的には、位置登録制御手段１０２ａは、位置登録の対象となるセルで用いられるPSCを送受信部２００に通知し、送受信部２００は、通知されたPSCを用いて位置登録要求を送信することで、上記セルに宛てて位置登録要求を行う。
【００６９】
ステップ７ｂにおいて位置登録制御手段１０２ａは、上記セルから上記位置登録要求に対する応答信号を受信するように送受信部２００を制御する。より具体的には、位置登録制御手段１０２ａは、上記セルで用いられるPSCの識別情報を送受信部２００に通知し、送受信部２００は、通知された識別情報に対応するPSCを用いて応答信号の受信を行う。
【００７０】
そして、位置登録制御手段１０２ａは、信号処理部３００が検出した上記セルからの応答信号を参照し、上記セルがステップ７ａで行った位置登録要求を受理するか否かを判定する。ここで、応答信号が位置登録要求を受理する（許可する）ことを示す場合には、ステップ７ｃに移行し、一方、受理しない（拒否する）ことを示す場合には、ステップ７ｄに移行する。
【００７１】
ステップ７ｃにおいて位置登録制御手段１０２ａは、送受信部２００および信号処理部３００を制御して、位置登録処理を実施し、当該処理を終了する。より具体的には、位置登録処理では、上記セルに属する基地局BSと通信し、自端末の識別情報などを送信し、網内の位置管理データベースへの登録を行う。
【００７２】
ステップ７ｄにおいて位置登録制御手段１０２ａは、上記セルから受信した応答信号に含まれる理由値を参照し、位置登録要求が受理されなかった理由を検出する。そして、位置登録制御手段１０２ａは、理由値がローミング禁止を示す場合には、ステップ７ｅに移行し、一方、理由値がローミング禁止以外を示す場合には、ステップ７ｇに移行する。
【００７３】
ステップ７ｅにおいて位置登録制御手段１０２ａは、ローミングが禁止された上記セルに対応するPSCの識別情報PNｎを禁止セルリスト記憶エリア４０２ａに記録し、ステップ７ｆに移行する。  
ステップ７ｆにおいて位置登録制御手段１０２ａは、現在の時刻から予め設定した時間（例えば２５秒）だけ経過した時刻を、ステップ７ｅで記録したPSCに対応付けて禁止終了時刻として禁止時間記憶エリア４０２ｂに記録し、ステップ７ｇに移行する。
【００７４】
ステップ７ｇにおいて位置登録制御手段１０２ａは、位置登録拒否時処理を実施し、当該処理を終了する。より具体的には、位置登録拒否時処理では、理由値に応じて、当該エリアの識別情報を消去、禁止網リストや禁止エリアリストへの当該網や当該エリアの識別情報の記憶などを行い、位置登録処理を終了する。これらの処理は上記非特許文献１のＴＳ２４．００８に規定されている。
【００７５】
図８は、リセレクション処理を説明するフローチャートであって、この処理は制御部１０２のリセレクション制御手段１０２ｂによってなされる。このフローチャートに示す制御を実現するための制御プログラムは、記憶部４０２に記録される。この処理は、現在待ち受け中のセルの受信品質が劣化するなどして、セルのリセレクションを行う必要があると判断された場合に実施されるものであり、例えば待ち受け間欠受信毎に現在待ち受け中のセルの受信品質判定毎にリセレクションが必要と判断された場合に実施される。
【００７６】
まず、ステップ８ａにおいてリセレクション制御手段１０２ｂは、複数のPSCの識別情報を送受信部２００に通知して、送受信部２００に周辺セルサーチを行わせ、ステップ８ｂに移行する。これに対して送受信部２００は、リセレクション制御手段１０２ｂから通知される識別情報に対応するPSCを順次用いて、セルから送信されるパイロット信号を受信して、その受信品質を検出し、これをPSCの識別情報とともに制御部１０２に通知する。
【００７７】
ステップ８ｂにおいてリセレクション制御手段１０２ｂは、ステップ８ａで送受信部２００から通知される受信品質に基づいて、所定以上の受信品質が得られるPSCを検出し、この検出したPSCの識別情報を受信品質の高い順に並べた候補リストを作成して候補セルリスト記憶エリア４０２ｃに記録し、ステップ８ｃに移行する。すなわち、ステップ８ｂにおいてリセレクション制御手段１０２ｂは、リセレクションの候補として有望なPSCを可能性の高い順に並べた候補リストを作成する。
【００７８】
ステップ８ｃにおいてリセレクション制御手段１０２ｂは、ステップ８ｂで作成した候補リストに、少なくとも１つのPSCの識別情報が含まれるかを判定する。ここで、上記候補リストに少なくとも１つのPSCの識別情報が含まれる場合には、ステップ８ｄに移行し、一方、候補リストに１つもPSCの識別情報が含まれない場合には、処理を終了し、次回の待ち受け間欠受信時に再びセルのリセレクションが必要と判断された場合には本フローを最初から実行する。
【００７９】
ステップ８ｄにおいてリセレクション制御手段１０２ｂは、候補セルリスト記憶エリア４０２ｃが記憶する候補リストから、１つのPSCを選択し、ステップ８ｅに移行する。なお、ステップ８ｃからステップ８ｄに移行した場合には、上記候補リストから最上位のPSCを選択する。またステップ８ｆや８ｊからステップ８ｄに移行した場合には、前回のステップ８ｄで選択したPSCの次順位のPSCを選択する。
【００８０】
すなわち、例えば、前回のステップ８ｄで最上位のPSCを選択した場合には、今回のステップ８ｄでは第２位のPSCを選択し、前回のステップ８ｄで第３位のPSCを選択した場合には、今回のステップ８ｄでは第４位のPSCを選択する。また前回のステップ８ｄで最下位（第５位）のPSCを選択した場合には、今回のステップ８ｄでは最上位（第１位）のPSCを選択する。
【００８１】
ステップ８ｅにおいてリセレクション制御手段１０２ｂは、ステップ８ｄで選択したPSCの識別情報PNXが禁止セルリスト記憶エリア４０２ａに記憶されているか否かを判断する。ここで、識別情報PNXが禁止セルリスト記憶エリア４０２ａに記憶されるPN１〜PN５のいずれかに一致する場合、すなわち禁止セルのPSCである場合には、ステップ８ｆに移行し、一方、一致しない場合、すなわち禁止セルのPSCでない場合には、ステップ８ｇに移行する。
【００８２】
ステップ８ｆにおいてリセレクション制御手段１０２ｂは、ステップ８ｄで選択したPSCの識別情報PNXに対応する禁止時間記憶エリア４０２ｂの禁止終了時間TXを参照し、現在時刻が禁止終了時間TXを経過しているか否かを判定する。ここで、現在時刻が禁止終了時間TXを経過している場合には、ステップ８ｇに移行し、一方、現在時刻が禁止終了時間TXを経過していない場合には、ステップ８ｄに移行する。
【００８３】
ステップ８ｇにおいてリセレクション制御手段１０２ｂは、ステップ８ｄで選択したPSCの識別情報PNXを送受信部２００に通知して、上記PSCを用いるセルから送信される報知情報を受信するように制御し、ステップ８ｈに移行する。これに対して送受信部２００は、リセレクション制御手段１０２ｂから通知される識別情報に対応するPSCを用いた受信を行い、これにより信号処理部３００が受信信号から報知情報を検出する。
【００８４】
ステップ８ｈにおいてリセレクション制御手段１０２ｂは、リセレクション処理を実施し、ステップ８ｉに移行する。なお、このリセレクション処理には、ステップ８ｇで受信した報知情報から位置登録エリア番号を読み出し、その位置登録エリア番号が現在位置登録済みの位置登録エリア番号と異なる場合には、送受信部２００および信号処理部３００を制御して、所定のプロトコルにしたがって、ステップ８ｇで受信した報知情報の送信元の基地局ＢＳに対して位置登録要求を送信する処理を含んでいる。
【００８５】
ステップ８ｉにおいてリセレクション制御手段１０２ｂは、ステップ８ｈで行った位置登録要求が受理されたか否かを判定する。ここで、位置登録要求が受理されなかった場合には、ステップ８ｊに移行する。一方、受理された場合および位置登録を実施する必要がなかった場合には、送受信部２００および信号処理部３００を制御して、所定のプロトコルにしたがって、上記基地局ＢＳと通信し、着信待ち受けを開始して、当該処理を終了する。
【００８６】
ステップ８ｊにおいてリセレクション制御手段１０２ｂは、ステップ８ｂで作成した候補リストに含まれる全てのPSCについて、少なくとも１回はステップ８ｇにより報知情報を受信したか否かを判定する。ここで、全てのPSCについて少なくとも１回は報知情報を受信した場合には、処理を終了し、次回の待ち受け間欠受信時に再びセルのリセレクションが必要と判断された場合には本フローを最初から実行する。一方、全てのPSCについて報知情報を受信していない場合には、ステップ８ｄに移行する。
【００８７】
以上のように、上記構成の移動無線端末装置では、予めローミング禁止セルで用いるPSCを記憶しておき、その後、受信状況が悪化するなどしてセルのリセレクションの必要が生じた場合には、周辺セルのPSCを検出して候補としてリスト化し、このうち上記ローミング禁止セル以外のPSCを用いるセルから報知情報を受信して、リセレクションを行うようにしている。
【００８８】
したがって、上記構成の移動無線端末装置によれば、かつてローミング禁止セルと判定されたセルのPSC以外のPSCを積極的に用いて報知情報の受信が行われるため、ローミング禁止セルが周辺セル（リセレクションの候補）として検出された場合でも、ローミング禁止セルからの報知情報受信が抑止される。
【００８９】
このため、セル単位でローミングが禁止される場合でも、結果的にリセレクションを行えないローミング禁止セルからの報知情報受信が抑制（制限）されて、この処理に費やす不要な電力が軽減できる。また不要な報知情報受信によるセル検出の遅延を防止できる。
【００９０】
ところで、一般に、PSCは、同じ網内で繰り返して使用されるため、PSCによってセルを一意に識別することはできないが、通常、PSCのセルへの割り当ては、比較的狭い地域においては同じPSCを複数のセルで使用することはないようになされる。しかし、PSCは有限であるため、網全体では同じPSCが繰り返し使用され得る。すなわち、PSCは、ローミング禁止セルで用いられていたとしても、他の離れたローミング可能なセルで用いられることもあるため、一様にローミング禁止セルのPSCとして扱うと、移動する移動無線端末装置において不具合が生じる虞がある。
【００９１】
しかし、上記構成の移動無線端末装置では、上記周辺セルの候補リストに含まれるPSCがローミング禁止セルのPSCの場合には、リセレクションを禁止する時間を経過してから、そのPSCを用いるセルから報知情報を受信するようにしている。  
このため、移動無線端末装置が、ローミング禁止セルのPSCと同じPSCを用いるローミング可能なセルに移動した場合でも、禁止時間を経過することにより報知情報を受信できるので上記の不具合を防止できる。
【００９２】
なお、上記第２の実施形態では、リセレクション禁止の終了時間になるまでは、報知情報を必ず受信しないような構成にしたが、これに限定されるものではない。例えば、第１の実施形態で説明したように、候補毎にカウントを行い、カウント値が所定値に達した場合には、リセレクション禁止の終了時間にならなくても、報知情報を受信するようにしてもよい。
【００９３】
また、上記第２の実施形態では、ステップ７ｆにおいて、リセレクションを禁止する時間（時刻）をローミングが禁止されたセル毎に設定し、ステップ８ｆで禁止した時刻を経過したかを判断するようにしたが、これに代わって例えば、ステップ７ｆにおいて、リセレクションを禁止するタイマーをローミングが禁止されたセル毎にスタートさせ、ステップ８ｆで上記タイマーが所定時間を計時したか、あるいは所定時間を計時してタイマーが停止したか判断するようにしてもよい。
【００９４】
（第３の実施形態）
次に、第３の実施形態に係わる移動無線端末装置について説明する。  
図９は、この発明の第３の実施形態に係わる移動無線端末装置の構成を示すものである。この移動無線端末装置は、アンテナ１０と、送受信部２００と、信号処理部３００と、記憶部４０３と、制御部１０３と、GPS(Global Positioning System)受信部５００とを備えている。ここでは、移動無線端末装置の例として、W-CDMA(Wideband Code Division Multiple Access)方式の移動無線通信システムで用いられ、音声通信やデータ通信を行うものを例に挙げる。
【００９５】
送受信部２００は、アンテナ１０を通じて、移動通信網に収容される基地局ＢＳと、W-CDMA方式で無線通信するものである。具体的には、送受信部２００は、信号処理部３００にて生成された変調信号に基づいて、制御部１０３からキャリア周波数とPSCが指示され、上記PSCを用いて上記キャリア周波数の無線信号を生成する。
【００９６】
また送受信部２００は、制御部１０３からキャリア周波数とPSCが指示され、上記PSCを用いて上記キャリア周波数の無線信号を受信する。この受信結果は、信号処理部３００および制御部１０３に出力される。また送受信部２００は、受信した信号の品質を検出する機能を備え、検出した受信品質を制御部１０３に通知する。
【００９７】
信号処理部３００は、送話音声信号を符号化する。また、この符号化によって得た音声データやその他のデータに基づいて上記変調信号を生成し、これを上記送受信部２００に出力する。また信号処理部３００は、送受信部２００が受信した信号を復調し、この復調結果を復号して音声データなどを得たり、基地局ＢＳから送信される信号の検出を行う。
【００９８】
記憶部４０３は、当該移動無線端末装置の制御プログラムや制御データ、当該移動無線端末装置やユーザに固有に割り当てられた識別情報、多数のPSC(Primary Scrambling Code)を記憶するものであって、このほかに、名前と電話番号を対応づけた電話帳データや、データ通信により取得したデータやダウンロードしたデータを記憶する。また記憶部４０３は、禁止セルリスト記憶エリア４０３ａ、禁止位置記憶エリア４０３ｂ、候補セルリスト記憶エリア４０３ｃなどの記憶領域を備える。
【００９９】
禁止セルリスト記憶エリア４０３ａは、図１０に示すように、ローミングが禁止されたセルでの通信に用いるPSCの識別情報PNを記憶し、この例では、５個分のPSCの識別情報PN１〜PN５を記憶するものとし、新しい情報が記録される場合には、古いものから順に消去されるものとする。
【０１００】
禁止位置記憶エリア４０３ｂは、図１０に示すように、ローミングが禁止されたセルでの通信に用いるPSC毎に、そのセルの位置データPmを記憶するエリアである。候補セルリスト記憶エリア４０３ｃは、候補セルのPSCの識別情報を受信品質の高い順に並べたリストを記憶するエリアである。
【０１０１】
GPS受信部５００は、予め設定した周期（例えば１秒）毎に、少なくとも３個以上のGPS衛星から送信されるGPS信号を受信して、当該移動無線端末装置の位置を測位するもので、この測位した位置を示す位置情報（緯度、経度、高度）を制御部１０３に出力する。なお、GPS受信部５００に代わって、移動通信網や基地局ＢＳによって当該移動無線端末装置の位置を測位するサービスを利用し、このサービスによって提供される位置情報を基地局ＢＳから取得する受信手段を備えてもよい。
【０１０２】
制御部１０３は、記憶部４０３が記憶する制御プログラムや制御データにしたがって、当該移動無線端末装置の各部を統括して制御するものであり、滞在するセルの管理や基地局ＢＳに対して位置登録要求を行ったり、当該移動無線端末装置の無線資源の管理や、無線コネクションの設定・解放を制御するものである。
【０１０３】
より具体的には、必要に応じて基地局ＢＳに対して位置登録を行う位置登録制御手段１０３ａや、受信状態が悪化した場合に、セルのリセレクションを行うリセレクション制御手段１０３ｂなどを備える。
【０１０４】
なお、図９には図示しないが、移動無線端末装置は、受話音声信号を拡声出力するスピーカや、送話音声信号を入力するマイクロホン、音声データを上記受話音声信号に変換する手段や、送話音声信号を音声データに変換する手段、受信データに基づく画像を表示する表示手段、ユーザに要求を受け付ける操作部などを備える。
【０１０５】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、位置登録やリセレクションに関わる動作について説明する。
【０１０６】
図１１は、位置登録処理を説明するフローチャートであって、この処理は制御部１０３の位置登録制御手段１０３ａによってなされる。このフローチャートに示す制御を実現するための制御プログラムは、記憶部４０３に記録される。この処理は、位置登録を行うセルが特定できると実行される。
【０１０７】
まず、ステップ１１ａにおいて位置登録制御手段１０３ａは、制御部１０３によって特定された位置登録の対象となるセル（例えば、セルサーチの結果、送受信部２００が検出した受信品質が良好なセル）に対して、位置登録要求を送信するように送受信部２００を制御し、ステップ１１ｂに移行する。
【０１０８】
これに対して送受信部２００は、上記セル（基地局ＢＳ）に対して位置登録要求を送信する。より具体的には、位置登録制御手段１０３ａは、位置登録の対象となるセルで用いられるPSCを送受信部２００に通知し、送受信部２００は、通知されたPSCを用いて位置登録要求を送信することで、上記セルに宛てて位置登録要求を行う。
【０１０９】
ステップ１１ｂにおいて位置登録制御手段１０３ａは、上記セルから上記位置登録要求に対する応答信号を受信するように送受信部２００を制御する。より具体的には、位置登録制御手段１０３ａは、上記セルで用いられるPSCの識別情報を送受信部２００に通知し、送受信部２００は、通知された識別情報に対応するPSCを用いて応答信号の受信を行う。
【０１１０】
そして、位置登録制御手段１０３ａは、信号処理部３００が検出した上記セルからの応答信号を参照し、上記セルがステップ１１ａで行った位置登録要求を受理するか否かを判定する。ここで、応答信号が位置登録要求を受理する（許可する）ことを示す場合には、ステップ１１ｃに移行し、一方、受理しない（拒否する）ことを示す場合には、ステップ１１ｄに移行する。
【０１１１】
ステップ１１ｃにおいて位置登録制御手段１０３ａは、送受信部２００および信号処理部３００を制御して、位置登録処理を実施し、当該処理を終了する。より具体的には、位置登録処理では、上記セルに属する基地局BSと通信し、自端末の識別情報などを送信し、網内の位置管理データベースへの登録を行う。
【０１１２】
ステップ１１ｄにおいて位置登録制御手段１０３ａは、上記セルから受信した応答信号に含まれる理由値を参照し、位置登録要求が受理されなかった理由を検出する。そして、位置登録制御手段１０３ａは、理由値がローミング禁止を示す場合には、ステップ１１ｅに移行し、一方、理由値がローミング禁止以外を示す場合には、ステップ１１ｇに移行する。
【０１１３】
ステップ１１ｅにおいて位置登録制御手段１０３ａは、ローミングが禁止された上記セルに対応するPSCの識別情報PNｎを禁止セルリスト記憶エリア４０３ａに記録し、ステップ１１ｆに移行する。  
ステップ１１ｆにおいて位置登録制御手段１０３ａは、GPS受信部５００が測位した位置情報に基づいて、上記ローミングが禁止されたセルの位置情報を検出し、これを、ステップ１１ｅで記録したPSCに対応付けて禁止位置データとして禁止位置記憶エリア４０３ｂに記録し、ステップ１１ｇに移行する。
【０１１４】
ステップ１１ｇにおいて位置登録制御手段１０３ａは、位置登録拒否時処理を実施し、当該処理を終了する。より具体的には、位置登録拒否時処理では、理由値に応じて、当該エリアの識別情報を消去、禁止網リストや禁止エリアリストへの当該網や当該エリアの識別情報の記憶などを行い、位置登録処理を終了する。これらの処理は上記非特許文献１のＴＳ２４．００８に規定されている。
【０１１５】
図１２は、リセレクション処理を説明するフローチャートであって、この処理は制御部１０３のリセレクション制御手段１０３ｂによってなされる。このフローチャートに示す制御を実現するための制御プログラムは、記憶部４０３に記録される。この処理は、現在待ち受け中のセルの受信品質が劣化するなどして、セルのリセレクションを行う必要があると判断された場合に実施されるものであり、例えば待ち受け間欠受信毎に現在待ち受け中のセルの受信品質判定毎にリセレクションが必要と判断された場合に実施される。
【０１１６】
まず、ステップ１２ａにおいてリセレクション制御手段１０３ｂは、複数のPSCの識別情報を送受信部２００に通知して、送受信部２００に周辺セルサーチを行わせ、ステップ１２ｂに移行する。これに対して送受信部２００は、リセレクション制御手段１０３ｂから通知される識別情報に対応するPSCを順次用いて、セルから送信されるパイロット信号を受信して、その受信品質を検出し、これをPSCの識別情報とともに制御部１０３に通知する。
【０１１７】
ステップ１２ｂにおいてリセレクション制御手段１０３ｂは、ステップ１２ａで送受信部２００から通知される受信品質に基づいて、所定以上の受信品質が得られるPSCを検出し、この検出したPSCの識別情報を受信品質の高い順に並べた候補リストを作成して候補セルリスト記憶エリア４０３ｃに記録し、ステップ１２ｃに移行する。すなわち、ステップ１２ｂにおいてリセレクション制御手段１０３ｂは、リセレクションの候補として有望なPSCを可能性の高い順に並べた候補リストを作成する。
【０１１８】
ステップ１２ｃにおいてリセレクション制御手段１０３ｂは、ステップ１２ｂで作成した候補リストに、少なくとも１つのPSCの識別情報が含まれるかを判定する。ここで、上記候補リストに少なくとも１つのPSCの識別情報が含まれる場合には、ステップ１２ｄに移行し、一方、候補リストに１つもPSCの識別情報が含まれない場合には、処理を終了し、次回の待ち受け間欠受信時に再びセルのリセレクションが必要と判断された場合には本フローを最初から実行する。
【０１１９】
ステップ１２ｄにおいてリセレクション制御手段１０３ｂは、候補セルリスト記憶エリア４０３ｃが記憶する候補リストから、１つのPSCを選択し、ステップ１２ｅに移行する。なお、ステップ１２ｃからステップ１２ｄに移行した場合には、上記候補リストから最上位のPSCを選択する。またステップ１２ｆや１２ｊからステップ１２ｄに移行した場合には、前回のステップ１２ｄで選択したPSCの次順位のPSCを選択する。
【０１２０】
すなわち、例えば、前回のステップ１２ｄで最上位のPSCを選択した場合には、今回のステップ１２ｄでは第２位のPSCを選択し、前回のステップ１２ｄで第３位のPSCを選択した場合には、今回のステップ１２ｄでは第４位のPSCを選択する。また前回のステップ１２ｄで最下位（第５位）のPSCを選択した場合には、今回のステップ１２ｄでは最上位（第１位）のPSCを選択する。
【０１２１】
ステップ１２ｅにおいてリセレクション制御手段１０３ｂは、ステップ１２ｄで選択したPSCの識別情報PNXが禁止セルリスト記憶エリア４０３ａに記憶されているか否かを判断する。ここで、識別情報PNXが禁止セルリスト記憶エリア４０３ａに記憶されるPN１〜PN５のいずれかに一致する場合、すなわち禁止セルのPSCである場合には、ステップ１２ｆに移行し、一方、一致しない場合、すなわち禁止セルのPSCでない場合には、ステップ１２ｇに移行する。
【０１２２】
ステップ１２ｆにおいてリセレクション制御手段１０３ｂは、ステップ１２ｄで選択したPSCの識別情報PNXに対応する禁止位置記憶エリア４０３ｂの位置データPXと、GPS受信部５００から取得した現在の位置情報とを比較して、現在の位置が位置データPXで示される位置から予め設定した距離Ｚメートル以上離れている（差がある）か否かを判定する。ここで、現在の位置が位置データPXで示される位置からＺメートル以上離れている場合には、ステップ１２ｇに移行し、一方、Ｚメートル未満しか離れていない場合には、ステップ１２ｄに移行する。
【０１２３】
ステップ１２ｇにおいてリセレクション制御手段１０３ｂは、ステップ１２ｄで選択したPSCの識別情報PNXを送受信部２００に通知して、上記PSCを用いるセルから送信される報知情報を受信するように制御し、ステップ１２ｈに移行する。これに対して送受信部２００は、リセレクション制御手段１０３ｂから通知される識別情報に対応するPSCを用いた受信を行い、これにより信号処理部３００が受信信号から報知情報を検出する。
【０１２４】
ステップ１２ｈにおいてリセレクション制御手段１０３ｂは、リセレクション処理を実施し、ステップ１２ｉに移行する。なお、このリセレクション処理には、ステップ１２ｇで受信した報知情報から位置登録エリア番号を読み出し、その位置登録エリア番号が現在位置登録済みの位置登録エリア番号と異なる場合には、送受信部２００および信号処理部３００を制御して、所定のプロトコルにしたがって、ステップ１２ｇで受信した報知情報の送信元の基地局ＢＳに対して位置登録要求を送信する処理を含んでいる。
【０１２５】
ステップ１２ｉにおいてリセレクション制御手段１０３ｂは、ステップ１２ｈで行った位置登録要求が受理されたか否かを判定する。ここで、位置登録要求が受理されなかった場合には、ステップ１２ｊに移行する。一方、受理された場合および位置登録を実施する必要がなかった場合には、送受信部２００および信号処理部３００を制御して、所定のプロトコルにしたがって、上記基地局ＢＳと通信し、着信待ち受けを開始して、当該処理を終了する。
【０１２６】
ステップ１２ｊにおいてリセレクション制御手段１０３ｂは、ステップ１２ｂで作成した候補リストに含まれる全てのPSCについて、少なくとも１回はステップ１２ｇにより報知情報を受信したか否かを判定する。ここで、全てのPSCについて少なくとも１回は報知情報を受信した場合には、処理を終了し、次回の待ち受け間欠受信時に再びセルのリセレクションが必要と判断された場合には本フローを最初から実行する。一方、全てのPSCについて報知情報を受信していない場合には、ステップ１２ｄに移行する。
【０１２７】
以上のように、上記構成の移動無線端末装置では、予めローミング禁止セルで用いるPSCを記憶しておき、その後、受信状況が悪化するなどしてセルのリセレクションの必要が生じた場合には、周辺セルのPSCを検出して候補としてリスト化し、このうち上記ローミング禁止セル以外のPSCを用いるセルから報知情報を受信して、リセレクションを行うようにしている。
【０１２８】
したがって、上記構成の移動無線端末装置によれば、かつてローミング禁止セルと判定されたセルのPSC以外のPSCを積極的に用いて報知情報の受信が行われるため、ローミング禁止セルが周辺セル（リセレクションの候補）として検出された場合でも、ローミング禁止セルからの報知情報受信が抑止される。
【０１２９】
このため、セル単位でローミングが禁止される場合でも、結果的にリセレクションを行えないローミング禁止セルからの報知情報受信が抑制（制限）されて、この処理に費やす不要な電力が軽減できる。また不要な報知情報受信によるセル検出の遅延を防止できる。
【０１３０】
ところで、一般に、PSCは、同じ網内で繰り返して使用されるため、PSCによってセルを一意に識別することはできないが、通常、PSCのセルへの割り当ては、比較的狭い地域においては同じPSCを複数のセルで使用することはないようになされる。しかし、PSCは有限であるため、網全体では同じPSCが繰り返し使用され得る。すなわち、PSCは、ローミング禁止セルで用いられていたとしても、他の離れたローミング可能なセルで用いられることもあるため、一様にローミング禁止セルのPSCとして扱うと、移動する移動無線端末装置において不具合が生じる虞がある。
【０１３１】
しかし、上記構成の移動無線端末装置では、上記周辺セルの候補リストに含まれるPSCがローミング禁止セルのPSCの場合には、そのローミング禁止セルを検出した位置から現在の位置が予め設定された距離Ｚ以上離れていれば、そのPSCを用いるセルから報知情報を受信するようにしている。  
このため、移動無線端末装置が、ローミング禁止セルのPSCと同じPSCを用いるローミング可能なセルに移動した場合でも、予め設定した距離Ｚ以上移動することにより報知情報を受信できるので上記の不具合を防止できる。
【０１３２】
なお、上記第３の実施形態では、ローミング禁止セルから所定距離Ｚ以上離れなければ、報知情報を必ず受信しないような構成にしたが、これに限定されるものではない。例えば、第１の実施形態で説明したように、候補毎にカウントを行い、カウント値が所定値に達した場合には、所定距離Ｚ以上離れていなくても、報知情報を受信するようにしてもよい。すなわち、第３の実施形態を第１の実施形態や第２の実施形態に適用することも可能である。
【０１３３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【０１３４】
その一例として例えば、上記実施の形態では、ローミングが禁止されたセルで用いるPSCを記憶して、これに基づいてローミングが禁止されたセルか否かを判断するようにした。これに加えて、ローミングが禁止されたセルで用いられていた周波数も記憶して、PSCと周波数の両方からローミング禁止セルを判断して、報知情報の受信を抑制（制限）する。
【０１３５】
すなわち、ローミングの要求がセルに受け入れられなかった場合に、その際に用いた周波数を、ローミングが禁止されたセルで用いるPSCに対応付けて禁止周波数として記憶しておく（ステップ３ｅ、７ｅ、１１ｅ）。そして、リセレクション処理において、候補セルのPSCと、用いた周波数とを組にしてリスト化し（ステップ４ｂ、８ｂ、１２ｂ）、これらから１つの組を選択し（ステップ４ｄ、８ｄ、１２ｄ）、選択した組が、ローミングが禁止されたセルで用いるPSCと、禁止周波数として記憶されているかを判定する（ステップ４ｅ、８ｅ、１２ｅ）。
【０１３６】
このような制御によっても、結果的にリセレクションを行えないローミング禁止セルからの報知情報受信が抑制（制限）されて、この処理に費やす不要な電力が軽減できる。また不要な報知情報受信によるセル検出の遅延を防止できる。
【０１３７】
また、上記実施の形態では、ユーザからの発信要求とは無関係に報知情報の受信を制限するようにしたが、ユーザから警察や消防などへ緊急を要する発信を行う場合には、報知情報を受信するセル（PSC）を制限せずに、受信品質の高いPSCから順次報知情報を受信するようにしてもよい。緊急を要する発信か否かの判断は、予め緊急発信用の特番を記憶部４０１〜４０３に記憶しておき、上記特番が操作部を通じて入力された場合に制御部１０１〜１０３が緊急発信と判断する。  
その他、この発明の要旨を逸脱しない範囲で種々の変形を施しても同様に実施可能であることはいうまでもない。
【図面の簡単な説明】
【０１３８】
【図１】この発明に係わる移動無線端末装置の第１の実施の形態の構成を示す回路ブロック図。
【図２】図１に示した移動無線端末装置の記憶部が記憶する情報を説明するための図。
【図３】図１に示した移動無線端末装置の位置登録処理を説明するフローチャート。
【図４】図１に示した移動無線端末装置のリセレクション処理を説明するフローチャート。
【図５】この発明に係わる移動無線端末装置の第２の実施の形態の構成を示す回路ブロック図。
【図６】図５に示した移動無線端末装置の記憶部が記憶する情報を説明するための図。
【図７】図５に示した移動無線端末装置の位置登録処理を説明するフローチャート。
【図８】図５に示した移動無線端末装置のリセレクション処理を説明するフローチャート。
【図９】この発明に係わる移動無線端末装置の第３の実施の形態の構成を示す回路ブロック図。
【図１０】図９に示した移動無線端末装置の記憶部が記憶する情報を説明するための図。
【図１１】図９に示した移動無線端末装置の位置登録処理を説明するフローチャート。
【図１２】図９に示した移動無線端末装置のリセレクション処理を説明するフローチャート。
【符号の説明】
【０１３９】
１０１，１０２，１０３…制御部、１０１ａ，１０２ａ，１０３ａ…位置登録制御手段、１０１ｂ，１０２ｂ，１０３ｂ…リセレクション制御手段、２００…送受信部、３００…信号処理部、４０１，４０２，４０３…記憶部、４０１ａ，４０２ａ，４０３ａ…禁止セルリスト記憶エリア、４０１ｂ…禁止カウント値記憶エリア、４０１ｃ，４０２ｃ，４０３ｃ…候補セルリスト記憶エリア、４０２ｂ…禁止時間記憶エリア、４０３ｂ…禁止位置記憶エリア、５００…GPS受信部、ＢＳ…基地局。
【図１】
2008288634.tif 000003
【図２】
2008288634.tif 000004
【図３】
2008288634.tif 000005
【図４】
2008288634.tif 000006
【図５】
2008288634.tif 000007
【図６】
2008288634.tif 000008
【図７】
2008288634.tif 000009
【図８】
2008288634.tif 000010
【図９】
2008288634.tif 000011
【図１０】
2008288634.tif 000012
【図１１】
2008288634.tif 000013
【図１２】
2008288634.tif 000014